(57)【要約】      （修正有）【課題】電磁波シールド性に優れた開閉扉と、扉枠と開閉扉の電磁波シールド性に優れた取付け構造を実現する。【解決手段】開閉扉７をガラス板三枚以上の積層構造とし、それらガラス板８の一枚又は二枚以上を電磁波シールドガラス板とし、三枚以上のガラス板のいずれか一枚のガラス板の幅方向一端が他のガラス板の幅方向一端よりも外側まで突設して開閉具２０取付け端部とし、開閉具２０取付け端部を形成したガラス板以外のいずれかのガラス板の幅方向一端をにパッキン取付け端部を設けた。パッキン取付け端部に電磁波シールド性のある扉用パッキン２２を取付けた。【選択図】図３
2010153580.tif 000002
【特許請求の範囲】
【請求項１】
電磁波シールド室の出入り口に開閉可能に取付けられた開閉扉において、開閉扉がガラス板三枚以上の積層構造であり、それらガラス板の一枚又は二枚以上が電磁波シールドガラス板であり、それらガラス板のうちいずれか一枚のガラス板の幅方向一端が他のガラス板の幅方向一端よりも外側まで突設されて開閉具取付け端部が形成され、開閉具取付け端部が形成されたガラス板以外のいずれかのガラス板の幅方向一端にパッキン取付け端部が形成されたことを特徴とする電磁波シールド開閉扉。
【請求項２】
請求項１記載の電磁波シールド開閉扉において、パッキン取付け端部に電磁波シールド性のある扉用パッキンが取付けられたことを特徴とする電磁波シールド開閉扉。
【請求項３】
電磁波シールド室の出入り口に開閉可能に取付けられた開閉扉において、開閉扉がガラス板三枚の積層構造であり、それらガラス板の一枚又は二枚以上が電磁波シールドガラス板であり、それらガラス板のうち最外層のガラス板の幅方向一端が他のガラス板の幅方向一端よりも外側まで突設されて開閉具取付け端部が形成され、最内層のガラス板の幅方向一端が中間層のガラス板の幅方向一端よりも外側まで突設されてパッキン取付け端部が形成され、中間層のガラス板の幅方向一端が前記開閉具取付け端部及びパッキン取付け端部よりも凹んでそれら両取付け端部間にパッキン収容空間が形成されたことを特徴とする電磁波シールド開閉扉。
【請求項４】
請求項３記載の電磁波シールド開閉扉において、パッキン取付け端部に電磁波シールド性のある扉用パッキンが取付けられ、その扉用パッキンの一端が前記パッキン収容空間内に、他端が扉枠の凹部に配置されたことを特徴とする電磁波シールド開閉扉。
【請求項５】
請求項１乃至請求項４のいずれかに記載の電磁波シールド開閉扉の開閉具取付け端部が、電磁波シールド性のある開閉具により電磁波シールド性のある扉枠に開閉可能に取付けられたことを特徴とする扉枠への電磁波シールド開閉扉の取付け構造。
【請求項６】
請求項５記載の扉枠への電磁波シールド開閉扉の取付け構造において、扉枠の凹部に電磁波シールド性のある枠用パッキンが取付けられ、電磁波シールド開閉扉のパッキン取付け端部に取付けられた扉用パッキンが、電磁波シールド開閉扉の開閉時に、前記枠用パッキンと接触することを特徴とする扉枠への電磁波シールド開閉扉の取付け構造。
【請求項７】
請求項５又は請求項６記載の扉枠への電磁波シールド開閉扉の取付け構造において、電磁波シールド開閉扉が、ＡＴＭ設置スペースとＡＴＭ操作スペースを備えたＡＴＭ設置用電磁波シールド室の出入り口に取付けられたことを特徴とする扉枠への電磁波シールド開閉扉の取付け構造。
【発明の詳細な説明】
【技術分野】
【０００１】
本発明は電磁波シールド室、例えば現金自動取引装置（現金自動引き出し預け入れ機：現金処理機：通称「ＡＴＭ」）が設置される電磁波シールド室の電磁波シールド開閉扉と、扉枠への電磁波シールド開閉扉の取付け構造に関するものである。
【背景技術】
【０００２】
昨今、振込め詐欺が頻発しており、年間、数百億もの膨大な額の被害が発生している。
振込め詐欺は、振込め詐欺師がお年寄りを電話で金融機関やコンビニエンスストアなどに設置されているＡＴＭの側まで誘い出し、ＡＴＭの近くから携帯電話でお年寄りと通話しながらお年寄りにＡＴＭを操作させて振込みを実行させる手口が多い。
【発明の開示】
【発明が解決しようとする課題】
【０００３】
ＡＴＭは金融機関のロビー、無人店舗、コンビニエンスストアの店内等に設置されており、ＡＴＭを操作する人と振込め詐欺師とが携帯電話で通話することができるため、係員や店員が居る金融機関のロビーやコンビニエンスストアの店内であっても、それら係員や店員に気付かれることなく振込みをしてしまい（振込みさせられてしまい）、被害が増加の一途をたどっている。本発明の課題はこのような携帯電話を使用した振込め詐欺の被害を防止できる電磁波シールド室用の電磁波シールド開閉扉と、電磁波シールド室の扉枠への電磁波シールド開閉扉の取付け構造を提供するものである。
【課題を解決するための手段】
【０００４】
本発明の電磁波シールド開閉扉の一つは請求項１記載のように、電磁波シールド室の出入り口に開閉可能に取付けられた開閉扉において、開閉扉がガラス板三枚以上の積層構造であり、それらガラス板の一枚又は二枚以上が電磁波シールドガラス板であり、それらガラス板のうちいずれか一枚のガラス板の幅方向一端が他のガラス板の幅方向一端よりも外側まで突設されて開閉具取付け端部が形成され、開閉具取付け端部が形成されたガラス板以外のいずれかのガラス板の幅方向一端にパッキン取付け端部が形成されたものである。請求項２記載のように、前記パッキン取付け端部に電磁波シールド性のある扉用パッキンを取付けることができる。
【０００５】
本発明の電磁波シールド開閉扉の一つは請求項３記載のように、電磁波シールド室の出入り口に開閉可能に取付けられた開閉扉において、開閉扉がガラス板三枚の積層構造であり、それらガラス板の一枚又は二枚以上が電磁波シールドガラス板であり、それらガラス板のうち最外層のガラス板の幅方向一端が他のガラス板の幅方向一端よりも外側まで突設されて開閉具取付け端部が形成され、最内層のガラス板の幅方向一端が中間層のガラス板の幅方向一端よりも外側まで突設されてパッキン取付け端部が形成され、中間層のガラス板の幅方向一端が前記開閉具取付け端部及びパッキン取付け端部よりも凹んでそれら両取付け端部間にパッキン収容空間が形成されたものである。請求項４記載のように、パッキン取付け端部に電磁波シールド性のある扉用パッキンを取付け、その扉用パッキンの一端を前記パッキン収容空間内に、他端を扉枠の凹部に配置することができる。
【０００６】
本発明の扉枠への電磁波シールド開閉扉の取付け構造の一つは請求項５記載のように、電磁波シールド開閉扉の開閉具取付け端部を電磁波シールド性のある開閉具により電磁波シールド性のある扉枠に開閉可能に取付けてある。請求項６記載のように、扉枠の凹部に電磁波シールド性のある枠用パッキンを取付け、電磁波シールド開閉扉のパッキン取付け端部に取付けられた扉用パッキンが、電磁波シールド開閉扉の開閉時に、前記枠用パッキンと接触するようにすることもできる。請求項７記載のように電磁波シールド開閉扉をＡＴＭ設置スペースとＡＴＭ操作スペースを備えたＡＴＭ設置用電磁波シールド室の出入り口に取付けることができる。
【発明の効果】
【０００７】
本発明の電磁波シールド開閉扉は次のような効果がある。
（１）電磁波シールドガラス板が三枚以上の積層構造であるため電磁波シールド性に優れており、電磁波シールド室の出入り口に取付ければ、電磁波シールド室のシールド性が向上する。
（２）本発明の電磁波シールド開閉扉のパッキン取付け端部に電磁波シールド性のある扉用パッキンを取付けたので、電磁波シールド性の確保しにくい開閉扉の連結部分の電磁波シールド性も確保され、携帯電話による振込め詐欺の誘導をより一層確実に防止することができる。
（３）ＡＴＭが設置されている電磁波シールド室の出入り口に取付ければ電磁波シールド室内の人と外部人との携帯電話での通話ができなくなり、携帯電話を利用した振込め詐欺による振込みを防止することができる。
【０００８】
本発明の扉枠への電磁波シールド開閉扉の電磁波シールド取付け構造は次のような効果がある。
（１）電磁波シールド開閉扉の開閉具取付け端部が、電磁波シールド性のある開閉具により電磁波シールド性のある扉枠に開閉可能に取付けられているので、電磁波シールド性の確保しにくい開閉扉の連結部分の電磁波シールド性も確保される。
（２）電磁波シールド開閉扉の最内層のガラス板よりも内側の扉枠の凹部に電磁波シールド性のある枠用パッキンを取付けて、電磁波シールド開閉扉のパッキン取付け端部に取付けられた扉用パッキンが電磁波シールド開閉扉の開閉時に前記枠用パッキンに接触回動するようにしたので、電磁波シールド性が確保されにくい開閉扉の開閉時にも電磁波シールド性が確保される。
（３）電磁波シールド開閉扉がＡＴＭ設置スペースとＡＴＭ操作スペースを備えたＡＴＭ設置用電磁波シールド室の出入り口に取付けられているので、電磁波シールド室内の人と外部人との携帯電話での通話ができなくなり、携帯電話を利用した振込め詐欺による振込みを防止することができる。
【発明を実施するための最良の形態】
【０００９】
（電磁波シールド室の説明）
本発明の電磁波シールド開閉扉を取付ける電磁波シールド室の一例を図面に基づいて説明する。図１（ａ）、（ｂ）の電磁波シールド室１はＡＴＭ設置スペースとＡＴＭ操作スペースを備えたＡＴＭ設置用であり、ＡＴＭ設置スペース内にＡＴＭ２を一台設置できる幅の細長としてある。電磁波シールド室１はＡＴＭ２を複数台設置できる広さとすることもできる。電磁波シールド室１は図２に示す床材３の上に周壁４を組立て、周壁４の上に天井５を組付けて電磁波シールドしてあり、周壁４に出入り口６（図１（ｂ））があり、出入り口６に電磁波シールド構造の開閉扉７を開閉可能に取付けてある。開閉扉７は図１（ａ）、（ｂ）ではドアとしてあるが引き戸とすることもできる。電磁波シールド室１は金融機関、コンビニエンスストア等の店舗内、駅や空港のビル内、公共施設の建物内、屋外といった必要箇所に設置することができる。電磁波シールド室１の形状、広さ等はＡＴＭの設置台数に合わせて選択することができ、出入り口６の開口方向は設置するロビー、店舗等の配置に合わせて選択することができる。出入り口６は車椅子が出入りできる広さにし、その部分の床はバリアフリー式にするのが望ましい。
【００１０】
図１（ａ）、（ｂ）の電磁波シールド室１は室内を電磁波シールドするため、床材３に電磁波シールド性のある板材やマット（通称：シールドマット）を使用し、周壁４と天井５に電磁波シールドガラス板８を使用し、床材３と周壁４の連結箇所、周壁４と天井５との連結箇所、出入り口６への開閉扉７の取付け箇所も電磁波シールド構造にしてある。床は板材やマットなどの床材３を敷設するのではなく、電磁波シールド構造にした地面や建物のフロアなどであってもよい。電磁波シールド構造にするためには路面やフロア等に導電性メッシュや他の導電材を敷設したり埋設したりして行うことができる。
【００１１】
図１（ａ）、（ｂ）の電磁波シールド室は次のようにして組立てることができる。
床材３を地面に固定する。この場合、床材３の上に床取付ランナー１０を設置し、固定ネジ（ボルト）１１を床取付ランナー１０から床材３を貫通して床にねじ込むことにより床材３を金融機関やコンビニエンスストアの床や屋外の路面に固定することができる。床材３は設置した地面や他の場所に電気的にアースして電磁波シールド効果を確実にすることができる。
【００１２】
床材３の上に周壁４を組立てる。周壁４には電磁波シールドガラス板８が使用される。電磁波シールドガラス板８は図２に示す周枠１２の内側に配置固定される。周枠１２は二本の支柱１３の間の下部に下枠１４が、上部に上枠１５が取付けられ、両支柱１３の内側と下枠１４、上枠１５の内側に受縁１６が取付けられ、周枠１２の内側に電磁波シールドガラス板８が配置されて受縁１６に宛がわれ、周枠１２の内側から電磁波シールドガラス板８の外側に押縁１７が押し当てられて電磁波シールドガラス板８が受縁１６と押縁１７の間に挟まれ、押縁１７が支柱１３に固定されることにより電磁波シールドガラス板８が周枠１２の内側に固定される。上枠１５は天井取付ランナー１８により両支柱１３の上部に固定される。電磁波シールドガラス板８が固定された周枠１２は床取付ランナー１０に嵌合されて床材３に固定される。図２では電磁波シールドガラス板８の四周外周縁に電磁波シールド性のあるテープ、例えば、金属テープ９が貼り付けられている。周壁４の前面、両側面、背面は電磁波シールドガラス板８を前記のように組立てることにより形成されている。
【００１３】
図１（ａ）、（ｂ）の天井５は前記周壁４の上に配置固定される。天井５にも電磁波シールドガラス板８を使用して電磁波シールド構造にしてある。
【００１４】
図１（ａ）、（ｂ）に示すように周壁４には出入り口６があり、出入り口６に開閉扉７が開閉可能に取付けられている。図１では開閉扉７も電磁波シールド構造にし、開閉扉７の取付け構造も電磁波シールド構造にしてある。
【００１５】
（本発明の電磁波シールド開閉扉の実施例）
本発明の電磁波シールド開閉扉７は図１のような電磁波シールド室の出入り口６に使用することができ、図１の電磁波シールド室１の出入り口６に取付けることができる。
【００１６】
図３に示す電磁波シールド構造の開閉扉７は電磁波シールドガラス板８が三枚積層されており、開閉具２０により出入り口６の扉枠２１に開閉可能に取付けられている。三枚の電磁波シールドガラス板８のうち最外層の電磁波シールドガラス板８の幅方向一端は他の電磁波シールドガラス板８の幅方向一端よりも外側まで突設されて開閉具取付け端部８ａが形成され、最内層の電磁波シールドガラス板８の幅方向一端が中間層の電磁波シールドガラス板８の幅方向一端よりも外側まで突設されてパッキン取付け端部８ｂが形成され、中間層の電磁波シールドガラス板８の幅方向一端８ｃが前記開閉具取付け端部８ａ及びパッキン取付け端部８ｂよりも凹んでそれら両取付け端部間にパッキン収容空間８ｄが形成され、パッキン取付け端部８ｂに電磁波シールド性のある扉用パッキン２２が取付けられて、扉用パッキン２２の一端が前記パッキン収容空間８ｄ内に、他端が扉枠２１の凹部２１ａに配置されている。
【００１７】
（本発明の扉枠への電磁波シールド開閉扉の取付け構造１）
図３に示す本発明の扉枠への電磁波シールド開閉扉の取付け構造は、開閉扉７の最内層の電磁波シールドガラス板８のパッキン取付け端部８ｂに電磁波シールド性のある扉用パッキン２２を被せ、その扉用パッキン２２を開閉扉７と扉枠２１の間に介在させて開閉扉７を開閉具２０により扉枠２１に取付けてある。この場合、扉枠２１に電磁波シールド性のある枠用パッキン２３を配置固定して、開閉扉７の開閉時に扉用パッキン２２が枠用パッキン２３に接触して、開閉扉７と扉枠２１との連結部が電磁波シールドされるようにしてある。図３の扉用パッキン２２、枠用パッキン２３は開閉扉７の縦方向全長に取付けられている。図３に示す開閉扉７の連結側と反対側の端部（図示していない）と図３に示す扉枠２１と反対側の扉枠（図示していない）の双方又はいずれか一方にも電磁波シールド性のあるパッキンを取付けて両者間をも電磁波シールド構造にしてある。
【００１８】
図３の開閉具２０は扉枠２１に回転可能に支持された金属製のパイプ２０ａの両側に金属製の支持片２０ｂが取付けられ、両支持片２０ｂの間に配置された最外層の電磁波シールドガラス板８の開閉具取付け端部８ａを連結具２０ｃで貫通して開閉扉７を扉枠２１に開閉可能としてある。
【００１９】
電磁波シールド室１の出入り口６（図１）を車椅子が出入りできる広さにした場合は、開閉扉７の底面と出入り口６の床面の間も電磁波シ−ルドする必要があり、そのためには例えば開閉扉７の底面と出入り口６の床面との双方又はいずれか一方に電磁波シールド性のあるパッキンを取付けて開閉扉７を閉めたときに出入り口６の床面と開閉扉７の底面の間も電磁波シ−ルドされるようにすることができる。
【００２０】
（本発明の扉枠への電磁波シールド開閉扉取付け構造の実施形態２）
扉枠２１への電磁波シールド開閉扉取付け構造は図４（ａ）〜（ｆ）に示すようにすることもできる。図４（ａ）〜（ｆ）は扉枠２１と開閉扉７との連結に使用されるパッキン４３の各種形状例（構造例）を示すものである。図４（ａ）〜（ｆ）のいずれの場合も、扉枠２１は金属製であり、内側に二段の凹部４０、４１があり、最外層の電磁波シールドガラス板８の突出端部を開閉具２０により扉枠２１に連結してある。図４（ａ）〜（ｆ）のいずれのパッキン４３も金属粉混入或いは金属繊維埋設の樹脂製或いはゴム製として導電性（電磁波シールド性）をもたせてある。図４（ａ）〜（ｆ）のパッキン４３はいずれも最外層の電磁波シールドガラス板８と最内層の電磁波シールドガラス板８の間のパッキン収容空間８ｄに嵌合可能な嵌合部４３ａと最内層の電磁波シールドガラス板８と扉枠２１との間に配置されるクッション部４３ｂとが断面形状略コ字状に一体成型されている。図４（ａ）〜（ｆ）のパッキン４３の嵌合部４３ａの形状はいずれも同じであるが、クッション部４３ｂの形状が全て異なる。図４（ａ）のクッション部４３ｂは横長空間部４４が、図４（ｂ）のクッション部４３ｂは三個の空間部４５が、図４（ｃ）のクッション部４３ｂは二個の空間部４６が形成されて弾性が具備されている。図４（ｃ）の二個のクッション部４３ｂは扉枠２１の仕切り突起４２で区画されている。図４（ｄ）〜（ｆ）のクッション部４３ｂはいずれも空間部がないが輪郭形状は図４（ｄ）が図４（ａ）と、図４（ｅ）が図４（ｂ）と、図４（ｆ）が図４（ｃ）と夫々同じである。これらパッキン４３はいずれも開閉扉７及び扉枠２１の上下方向に縦長である。パッキン４３の形状、構造は図４（ａ）〜（ｆ）に示すもの以外にすることもできる。
【００２１】
（電磁波シールドガラス板の例）
本発明の開閉扉７、周壁４、天井５に使用される電磁波シールドガラス板８には各種構造のものがある。例えば、二枚のガラス板の間に中間膜と共にシールド層としてシールドメッシュを挟んで合わせガラス構造とした合わせタイプのもの、ガラス表面に透明導電膜を施した二枚のガラスの間に空気層を介在させて複層構造とし、透明導電膜をシールド構造とした複層ガラスタイプのもの、ガラス板に電磁波シールド性のあるシールドフィルムを貼ったもの、ガラスに電磁波シールド性のある塗料がコーテイングされたもの等があるが、本発明では電磁波シールド性と透視性があればいずれの構造のものでも使用可能であり、それら以外のものであっても使用できる。一例として、直径５０μｍ以下の細い金属線材（例えば、ステンレス線材）を網状に編んだステンレスメッシュを使用した電磁波シールドガラス板８を使用することもできる。このステンレスメッシュは電磁波を遮断できるのみならず吸収することもでき、静電気をカットすることもできる。電磁波シールドガラス板８の一例として図５（ａ）に示すものは細い金属線材２５をガラス板８の端縁から外側まで引き出してある。
【００２２】
本発明の電磁波シールドガラス板８のシールド周波数帯域（遮蔽周波数帯域）は広い方が望ましいが、携帯電話を利用した振込め詐欺による振込み防止用にするには少なくとも携帯電話の使用周波数帯域をシールド（遮蔽）できるものを使用するのが望ましい。この場合、周波数選択電磁波シールガラスを使用することもできる。これはガラスや内装材などの表面にアンテナを均等配列して電波反射面を形成して、アンテナ長に応じた周波数帯域の電波が反射されて遮蔽されるようにしたものである。
【００２３】
本発明の開閉扉７及びそれを取付けた電磁波シールド室１は、電磁波シールド室１内での悪質行為や携帯電話の使用状況等を外部から視認できるようにするのが好ましいため、電磁波シールドガラス板８には透視性のあるものを使用する。電磁波シールドガラス板８には遮熱性、断熱性に優れたものを使用して電磁波シールドガラス板８で囲われた室内に断冷房機能を持たせることもできる。
【００２４】
（電磁波シールドガラス板を使用した周壁の組立て例）
電磁波シールドガラス板８を使用して電磁波シールド室１を組立てるには次のようにすることができる。この場合、電磁波シールドガラス板８を図５（ａ）のように縦向きにして使用すると電磁波シールドガラス板８の外まで引出されている金属線２５の引出し部２５ａが電磁波シールドガラス板８の荷重で切断（破断）することがある。この切断を防止するための一方策として図５（ｂ）に示すように二枚の電磁波シールドガラス板８の間に支持ガラス板２６を配置し、その支持ガラス板２６の下端を両側の二枚の電磁波シールドガラス板８の下端よりも下方まで突出させ、支持ガラス板２６の下端と二枚の電磁波シールドガラス板８の下端外側に電磁波シールド性のあるパッキン２７を被せて金属線２５の引出し部２５ａを保護すると共に引出し部２５ａとの導通性を確保して電磁波シールドガラス板８のシールド性を確保できるようにすることができる。図５（ｃ）に示すように支持ガラス板２６の下端と二枚の電磁波シールドガラス板８の下端外側に電磁波シールド性のある一つのパッキン２８を被せて金属線２５の引出し部２５ａを保護すると共に引出し部２５ａとの導通性を確保して電磁波シールドガラス板８のシールド性を確保できるようにすることもできる。いずれの場合も支持ガラス板２６は電磁波シールド性のあるものでもないものでもよい。
【００２５】
図２に示す周壁４の電磁波シールドガラス板８の下端部と下枠１４との連結構造は種々あるが、その一例として図６に示すものは電磁波シールドガラス板８の底面から下端両側面に導電性パッキン３０を被せ、導電性パッキン３０と下枠１４との間の空間に電磁波シールド性のあるシ−リング材３１を充填して、電磁波シールドガラス板８と下枠１４の間を電磁波シールドすることもできる。前記導電性パッキン３０の代わりに導電性テープを貼り付けることもできる。
【００２６】
図２に示す周壁４の電磁波シールドガラス板８の上端部と上枠１５との連結構造も種々あるが、その一例として図７に示すものは電磁波シールドガラス板８の上面と上端両側面に導電性パッキン３０を被せ、導電性パッキン３０と上枠１５との間の空間に電磁波シールド性のあるシ−リング材３１を充填して、電磁波シールドガラス板８と上枠１５の間を電磁波シールドすることもできる。前記導電性パッキン３０の代わりに導電性テープを貼り付けることもできる。この連結構造は、天井枠３３と天井用電磁波シールドガラス板との連結に応用することもできる。
【００２７】
（電磁波シールドガラス板と支柱、天井枠との連結構造）
電磁波シールドガラス板８（図２）と支柱１３（図２）や天井枠３３（図１）との連結構造も種々あるが、その一例として図８（ａ）に示すものは、電磁波シールドガラス板８の連結端面に導電性パッキン３４を被せ、その連結端部を両外側から金属製の支柱１３或いは天井枠３３で挟んだ構造である。図８（ｂ）に示すものは電磁波シールドガラス板８の連結端面に導電性パッキン３４を被せ、その連結端部を金属製のＩ字状の支柱１３或いは天井枠３３の溝に嵌合した構造である。この場合も図７のように導電性パッキン３４と支柱１３との間に電磁波シールド性のあるシーリング材３１を充填することもできる。
【００２８】
（電磁波シールドガラス板同士の連結構造）
周壁４、天井８などに使用され電磁波シールドガラス板８同士の連結構造も種々あるが、一例として図９に示すものは三層（三枚）構造の電磁波シールドガラス板８の連結構造であり、一方（図９の左側）の電磁波シールドガラス板８は中間の電磁波シールドガラス板８の連結端部を両外側の電磁波シールドガラス板８の連結端部よりも凹ませ、他方（図９の右側）の電磁波シールドガラス板８は中間の電磁波シールドガラス板の連結端部を両外側の電磁波シールドガラス板８の連結端部よりも凸にして、前記凹部と凸部を嵌合して連結する構造である。この場合は、図９の左側の三層電磁波シールドガラス板８の両外側の電磁波シールドガラス板８の凸部と、図９の右側の三層電磁波シールドガラス板８の中間の電磁波シールドガラス板８の凸部にシールド性のある導電性パッキン３４を被せ、その凹部に凸部を差し込んで電磁波シールド構造にして連結してある。
【産業上の利用可能性】
【００２９】
本発明の電磁波シールド開閉扉は、電磁波障害を回避したい場所、例えば、ＡＴＭ設置室をはじめとして、病院などの個室、診察室といった電磁波シールドの必要な各種室、ブース等の出入り口に利用することもできる。電磁波シールドガラスは用途に応じて、外部から透視可能なもの、透視しにくいもの、透視できないものとすることができる。
【図面の簡単な説明】
【００３０】
【図１】電磁波シールド室の概要を示すものであり、（ａ）は斜視図、（ｂ）は平面図。
【図２】電磁波シールド室の床、周壁、天井の組立て説明図。
【図３】本発明の電磁波シールド開閉扉と扉枠との連結構造の一例を示す平面図。
【図４】（ａ）〜（ｆ）は本発明の電磁波シールド開閉扉と扉枠との連結構造の異なる例を示す平面図。
【図５】電磁波シールド室の周壁下端部の説明図であり、（ａ）は通常使用状態の正面図、（ｂ）は支持ガラスを入れた電磁波シールドガラス板の底面から両外側面まで二枚のパッキンを被せた状態の正面図、（ｃ）は支持ガラスを入れた電磁波シールドガラス板の底面から両外側面まで一つのパッキンを被せた状態の正面図。
【図６】電磁波シールド室の電磁波シールドガラス板下端部と下枠との連結説明図。
【図７】電磁波シールド室の電磁波シールドガラス板上端部と上枠との連結説明図。
【図８】（ａ）、（ｂ）は電磁波シールド室における電磁波シールドガラス板と支柱或いは天井枠との連結構造の異なる例を示す平面図。
【図９】電磁波シールド室に使用される電磁波シールドガラス板の突合わせ構造の一例を示す平面図。
【符号の説明】
【００３１】
１  電磁波シールド室
２  ＡＴＭ
３  床材
４  周壁
５  天井
６  出入り口
７  開閉扉
８  電磁波シールドガラス板
８ａ  開閉具取付け端部
８ｂ  パッキン取付け端部
８ｃ  幅方向一端
８ｄ  パッキン収容空間
９  金属テープ
１０  床取付ランナー
１１  固定ネジ（ボルト）
１２  周枠
１３  支柱
１４  下枠
１５  上枠
１６  受縁
１７  押縁
１８  天井取付ランナー
２０  開閉具
２０ａ  パイプ
２０ｂ  支持片
２０ｃ  連結具
２１  扉枠
２１ａ  凹部
２２  扉用パッキン
２３  枠用パッキン
２５  金属線
２５ａ  金属線の引出し部
２６  支持ガラス板
２７、２８  パッキン
３０  導電性パッキン
３１  シ−リング材
３３  天井枠
３４  導電性パッキン
４０、４１  扉枠の凹部
４２  扉枠の仕切り突起
４３  パッキン
４３ａ  パッキンの嵌合部
４３ｂ  パッキンのクッション部
４４  横長空間部
４５、４６  空間部
【図１】
2010153580.tif 000003
【図２】
2010153580.tif 000004
【図３】
2010153580.tif 000005
【図４】
2010153580.tif 000006
【図５】
2010153580.tif 000007
【図６】
2010153580.tif 000008
【図７】
2010153580.tif 000009
【図８】
2010153580.tif 000010
【図９】
2010153580.tif 000011